(57)【要約】      （修正有）【課題】化粧品パウダーを均一に適した位置に塗布できるパフ構造を提供する。【解決手段】パフ構造は台体１、蓋体２を有する。台体１には凹槽１１を設置し、凹槽１１内にはパフ１２を設置する。蓋体２には内槽２１を設置し、蓋体２の内槽２１開口２１１は台体１の凹槽１１槽口１１１に設置し、内槽２１中には収容設置槽２３を設置し、収容設置槽２３には化粧品２３１を充填する。収容設置槽２３及び内槽２１の間には弾性部材２４を設置し、収容設置槽２３は弾性部材２４により収容設置槽２３を内槽２１で移動させる。本考案を使用する時には先ず蓋体２を台体１から開け、力を入れてパフ１２で化粧品２３１を押し、パフ１２に化粧品２３１パウダーを吸着させる。収容設置槽２３は弾性部材２４により内槽２１中で移動し、これによりパフ１２は弾性部材２４により化粧品２３１パウダーを吸着する。パフ１２に適量の化粧品２３１パウダーを吸着させれば、使用者はパフ１２に付着した化粧品２３１パウダーを適した位置に均一に塗布できる。【選択図】図３
0003210160.tif 000002
【実用新案登録請求の範囲】
【請求項１】
パフ構造であって、台体、蓋体を有し、
前記台体には、凹槽を設置し、前記凹槽には、パフを設置し、
前記蓋体には、内槽を設置し、前記蓋体の内槽開口は、軸方向に対応し、前記台体の凹槽槽口に設置され、前記内槽には、収容設置槽を設置し、前記収容設置槽には、化粧品を充填し、前記収容設置槽及び前記内槽の間には、軸方向に、弾性部材を設置し、前記収容設置槽は、前記弾性部材により、前記収容設置槽を軸方向に、前記内槽で移動させ、
これにより、前記蓋体が前記台体に蓋をすると、前記パフは、前記化粧品位置に突っ張り、この時、前記収容設置槽は、前記弾性部材方向に向かい軸方向に移動し、これにより前記弾性部材は弾性圧縮を呈し、
続いて、前記台体から蓋体を開けると、前記パフは前記化粧品に接触しておらず、前記収容設置槽は、前記弾性部材の反対方向へと移動し、前記弾性部材は、弾性復位の状態を呈することを特徴とするパフ構造。
【請求項２】
前記蓋体の内槽には、少なくとも１個のガイド部をさらに設置し、しかも前記収容設置槽は、前記ガイド部に対応し、それぞれガイドパーツを設置し、
これにより、前記収容設置槽は、前記ガイド部を利用して、前記ガイド部で軸方向作動を呈することを特徴とする請求項１に記載のパフ構造。
【請求項３】
前記ガイド部は、相互対応を呈して設置することを特徴とする請求項２に記載のパフ構造。
【請求項４】
前記ガイドパーツには、前記蓋体と径方向を呈する平面をそれぞれさらに設置し、しかも前記ガイドパーツは、前記平面において、前記槽口反対位置に向かい徐々に縮小して設置する斜面を呈し、
しかも、前記ガイド部には、前記平面に対応する押し上げ部をそれぞれ設置し、
前記蓋体が前記台体を離れると、前記弾性部材は、弾性復位を呈し、これにより前記平面は前記押し上げ部を押し上げることを特徴とする請求項２に記載のパフ構造。
【請求項５】
前記収容設置槽は、前記弾性部材に対応し、定位部をさらに設置し、
前記弾性部材は、前記収容設置槽一端に対応し、前記定位部に設置されることを特徴とする請求項１に記載のパフ構造。
【請求項６】
前記パフの頂縁は、前記凹槽の槽口位置より高いことを特徴とする請求項１に記載のパフ構造。
【請求項７】
前記パフの頂部中心は、前記パフの頂縁より高いことを特徴とする請求項１に記載のパフ構造。
【請求項８】
前記パフの頂端は、弧状を呈することを特徴とする請求項１に記載のパフ構造。
【請求項９】
前記凹槽は、前記パフ位置に対応し、底台を設置し、
前記底台は、前記槽口片側に対応し、前記パフを設置することを特徴とする請求項１に記載のパフ構造。
【請求項１０】
前記台体は、前記槽口位置に対応し、枢接部を設置し、
しかも、前記蓋体は、前記枢接部位置に対応し、枢接部材を設置することを特徴とする請求項１に記載のパフ構造。
【考案の詳細な説明】
【技術分野】
【０００１】
本考案はパフ構造に関し、特に使用者が好ましい施力方式により、パフに適量の化粧品パウダーを吸着させられ、これにより使用者は吸着した化粧品パウダーを均一に適した位置に塗布できるパフ構造に関する。
【背景技術】
【０００２】
一般市民にとって、化粧は一種の礼儀であり、また外見に気を配る人にとっても基本的な礼儀である。良好な外観を維持するため、化粧用具の違いに応じて、化粧パウダーを充填する容器が必要である。
【０００３】
従来のパウダーボックス構造は、ボックス体、パフ及び上蓋を有する。ボックス体内には、化粧品を充填するパウダーボックスを設置する。パフは、パウダーボックス上に置き、上蓋は、ボックス体上に蓋をし、しかも回して締める。これにより、使用時には、上蓋を回して開け、化粧品粉末が付着したパフを取り出せば、顔面及び他の適した位置に塗布でき、容貌を美化することができる。
【０００４】
しかし、従来のパウダーボックス構造では、スポンジをパウダーボックス中の化粧パウダーに密着及び吸着させる時、しばしば施力の不均衡によりスポンジに付着する化粧パウダーが多くなり過ぎてしまい、使用者が多量の化粧パウダーが付着したスポンジをメイクアップしようとする部位に密着させる時、もし使用者の施力が不均衡なら、化粧パウダーを、メイクアップしようとする部位に均一に塗布できなくなってしまう。
【考案の概要】
【考案が解決しようとする課題】
【０００５】
本考案の主な目的は、施力の不均衡により、スポンジに多量の化粧パウダーが付着することで、メイクアップしようとする部位にスポンジを密着させる時、化粧パウダーを、メイクアップしようとする部位に均一に塗布できなくなってしまうという従来のパウダーボックス構造の欠点を解決できるパフ構造に関する。
【課題を解決するための手段】
【０００６】
上述の目的を実現するために、本考案によるパフ構造は、台体、蓋体を有する。
該台体には、凹槽を設置し、該凹槽には、パフを設置する。
該蓋体には、内槽を設置し、該蓋体の内槽開口は、軸方向に対応し、該台体の凹槽槽口に設置される。
該内槽には、収容設置槽を設置し、該収容設置槽には、化粧品を充填する。
該収容設置槽及び該内槽の間には、軸方向に、弾性部材を設置する。
該弾性部材の軸方向の二端は、該内槽及び該収容設置槽をそれぞれ突っ張る。
該収容設置槽は、該弾性部材により、該収容設置槽を軸方向に、該内槽で移動させる。
これにより、該蓋体が該台体に蓋をすると、該パフは、該化粧品位置に突っ張る。
この時、該収容設置槽は、該弾性部材方向に向かい軸方向に移動し、これにより該弾性部材は弾性圧縮を呈する。
該蓋体が該台体を離れると、該パフは該化粧品に接触せず、該収容設置槽は、該弾性部材の反対方向へと移動し、該弾性部材は、弾性復位の状態を呈する。
【０００７】
上記のパフ構造において、該蓋体の内槽には、少なくとも１個のガイド部をさらに設置する。しかも、該収容設置槽は、該ガイド部に対応し、それぞれガイドパーツを設置する。これにより、該収容設置槽は、該ガイド部を利用して、該ガイド部で軸方向作動を呈する。
【０００８】
上記のパフ構造において、該ガイド部は、相互対応を呈して設置する。
【０００９】
上記のパフ構造において、該ガイドパーツには、該蓋体と径方向を呈する平面をそれぞれさらに設置し、しかも該ガイドパーツは、該平面において、該槽口反対位置に向かい徐々に縮小して設置する斜面を呈する。しかも、該ガイド部には、該平面に対応する押し上げ部をそれぞれ設置する。該蓋体が該台体を離れると、該弾性部材は、弾性復位を呈し、これにより該平面は該押し上げ部を押し上げる。
【００１０】
上記のパフ構造において、該収容設置槽は、該弾性部材に対応し、定位部をさらに設置する。該弾性部材は、該収容設置槽一端に対応し、該定位部に設置される。
【００１１】
上記のパフ構造において、該パフの頂縁は、該凹槽の槽口位置より高い。
【００１２】
上記のパフ構造において、該パフ頂部中心は、該パフの頂縁より高い。
【００１３】
上記のパフ構造において、該パフの頂端は、弧状を呈する。
【００１４】
上記のパフ構造において、該凹槽は、該パフ位置に対応し、底台を設置する。該底台は、該槽口片側に対応し、該パフを設置する。
【００１５】
上記のパフ構造において、該台体は、該槽口位置に対応し、枢接部を設置する。しかも、該蓋体は、該枢接部位置に対応し、枢接部材を設置する。
【考案の効果】
【００１６】
本考案は以下の長所及び効果を備える。
１．本考案は蓋体を台体に蓋合すると、パフは化粧品位置を押し、この時、収容設置槽は、弾性部材方向へと軸方向に移動し、弾性部材は弾性圧縮を呈し、しかも弾性部材を利用し、化粧品とパフとの接触状態を保持する。
２．蓋体を台体から開け本考案を使用する際には、パフは化粧品に接触しておらず、しかも収容設置槽は弾性部材の反対方向へと移動するため、弾性部材は弾性復位の状態を呈し、この時、収容設置槽は弾性部材により内槽開口位置へと移動するため、平面は押し上げ部に突っ張り、収容設置槽の落下を防止する。
３．施力の不均衡によりスポンジに多量の化粧パウダーが付着するという欠点を有する従来のパウダーボックス構造に比較し、本考案では、使用者はパフを使用し化粧品パウダーを吸着する際、力を入れてパフを化粧品へと押す時、収容設置槽は弾性部材により弾性圧縮を呈するため、収容設置槽は内槽中で軸方向へと移動し、パフは弾性部材により化粧品パウダーを吸着し、続いてパフに適量の化粧品パウダーを吸着させれば、使用者はパフが吸着した化粧品パウダーを均一に適した位置に塗布でき、しかも頂縁が弧状を呈するパフは、より良く顔面に密着し、弧状を呈するパフは適した位置に塗布する際により良い触感を手に感じることができる。
【図面の簡単な説明】
【００１７】
【図１】本考案の立体模式図である。
【図２】本考案の立体分解模式図である。
【図３】図１Ａ−Ａ位置でカットした断面及び蓋体を台体に蓋合した様子を示す模式図である。
【図４】図１Ａ−Ａ位置でカットした断面及び蓋体を台体から開けた様子を示す模式図である。
【図５】図１Ａ−Ａ位置でカットした断面及び使用状態の模式図である。
【考案を実施するための形態】
【００１８】
以下に本考案の技術内容、構造特徴、達成する目的及び作用効果について、以下に例を挙げ並びに図面を組み合わせて詳細に説明する。
【００１９】
図１〜図３に示す通り、本考案によるパフ構造は、台体１、蓋体２を有する。
台体１には、凹槽１１を設置し、凹槽１１には、パフ１２（例えば、スポンジ）を設置する。
実施形態において、凹槽１１は、パフ１２位置に対応し、底台１３を設置する。底台１３は、槽口１１１片側に対応し、パフ１２を設置する。好ましい実施形態において、パフ１２は、接着剤により凹槽１１に固定される。
実施形態において、パフ１２の頂縁１２ａは、凹槽１１の槽口１１１位置より高い。パフ１２頂部中心１２ｂは、パフ１２の頂縁１２ａより高い。例えば、パフ１２の頂端は、弧状を呈する。
【００２０】
蓋体２には、内槽２１を設置し、蓋体２の内槽２１開口２１１は、軸方向に対応し、台体１の凹槽１１槽口１１１に設置される。
実施形態において、台体１及び蓋体２は、柱状を呈する。
好ましい実施形態において、台体１は、槽口１１１位置に対応し、枢接部１４をさらに設置し、しかも蓋体２は、枢接部１４位置に対応し、枢接部材２２を設置する。例えば、枢接部１４及び枢接部材２２は、ネジヤマを呈する。
内槽２１には、収容設置槽２３を設置し、収容設置槽２３には、化粧品２３１を充填する。
実施形態において、化粧品２３１は、ファンデーションであるが、これに限定されない。
収容設置槽２３及び内槽２１の間には、軸方向に、弾性部材２４（例えば、圧縮バネ）を設置する。弾性部材２４の軸方向の二端は、内槽２１及び収容設置槽２３をそれぞれ突っ張る。
収容設置槽２３は、弾性部材２４により、収容設置槽２３を軸方向に、内槽２１で移動させる。
【００２１】
好ましい実施形態において、蓋体２の内槽２１には、少なくとも１個のガイド部２１２をさらに設置する。ガイド部２１２は、相互対応を呈して設置し、しかも収容設置槽２３は、ガイド部２１２に対応し、それぞれガイドパーツ２３２を設置する。これにより、収容設置槽２３は、ガイド部２１２を利用して、ガイド部２１２で軸方向作動を呈する。
さらに、ガイドパーツ２３２には、蓋体２と径方向を呈する平面２３２ａをそれぞれさらに設置し、しかもガイドパーツ２３２は、平面２３２ａにおいて、槽口１１１反対位置に向かい徐々に縮小して設置する斜面２３２ｂを呈する。ガイド部２１２には、平面２３２ａに対応する押し上げ部２１２ａをそれぞれ設置する。蓋体２が台体１を離れると、弾性部材２４は、弾性復位を呈し、これにより平面２３２ａは押し上げ部２１２ａを押し上げる。
実施形態において、収容設置槽２３は、弾性部材２４に対応し、定位部２３３をさらに設置する。弾性部材２４は、収容設置槽２３一端に対応し、定位部２３３に設置される。
【００２２】
これにより、続けて図３に示す通り、蓋体２が台体１に蓋をすると、パフ１２は、弾性を備えるスポンジであるため、パフ１２は、化粧品２３１位置に突っ張る。この時、収容設置槽２３は、弾性部材２４方向に向かい軸方向に移動する。これにより、弾性部材２４は弾性圧縮を呈し、しかも弾性部材２４を利用し、化粧品２３１とパフ１２との接触状態を保持する。
【００２３】
続いて、図４に示す通り、台体１から蓋体２を開け、本考案を使用する際には、パフ１２は化粧品２３１に接触しておらず、しかも収容設置槽２３は、弾性部材２４の反対方向へと移動し、弾性部材２４は、弾性復位の状態を呈する。この時、収容設置槽２３は、弾性部材２４により、内槽２１開口２１１位置へ向かい移動する。これにより、平面２３２ａは押し上げ部２１２ａを押し上げ、収容設置槽２３の落下を防止する。
【００２４】
この後、使用者は、パフ１２を利用し、化粧品２３１パウダーを吸着する。図５に示す通り、力を入れて、パフ１２を化粧品２３１へと押し付ける。収容設置槽２３は、弾性部材２４により弾性圧縮及び弾性復位を呈するため、収容設置槽２３は、内槽２１中で軸方向に移動する。
こうして、パフ１２は、弾性部材２４により、化粧品２３１パウダーを吸着する。
続いて、パフ１２を、化粧品２３１の反対方向へと、開口から外に出すと、平面２３２ａは、押し上げ部２１２ａを突っ張る。よって本考案により、使用者は、好ましい施力方式によりパフ１２に、適量の化粧品２３１パウダーを吸着させられ、しかも頂縁が弧状を呈するパフ１２は良好に皮膚に接触する。弧状を呈するパフ１２により、適した位置に塗布する際には、良好な触感を備えるため、使用者は、吸着した化粧品２３１のパウダーを、均一に適した位置（例えば、顔面）に塗布することができる。
【００２５】
弾性部材２４を台体１の凹槽１１内に設置しパフ１２を押し上げるなら、使用者が手で台体１を持ち、パフ１２に化粧品２３１のパウダーを付着させる際には、施力の不均衡により、過度に多量のパウダーが付着し易い。しかも、メイクアップ時には、パフ１２は同様に施力及び角度の問題で、弾性部材２４は不適当な受力により圧縮され、メイクアップ時の手の触感が良くなく、メイクアップしようとする部位に均一に塗布できない。そのため、本考案は、弾性部材２４を蓋体２の収容設置槽２３内に設置する。
【００２６】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２７】
１  台体
１１  凹槽
１１１  槽口
１２  パフ
１２ａ  頂縁
１２ｂ  頂部中心
１３  底台
１４  枢接部
２  蓋体
２１  内槽
２１１  開口
２１２  ガイド部
２１２ａ  押し上げ部
２２  枢接部材
２３  収容設置槽
２３１  化粧品
２３２  ガイドパーツ
２３２ａ  平面
２３２ｂ  斜面
２３３  定位部
２４  弾性部材
【図１】
0003210160.tif 000003
【図２】
0003210160.tif 000004
【図３】
0003210160.tif 000005
【図４】
0003210160.tif 000006
【図５】
0003210160.tif 000007